(57)【要約】【課題】温水洗浄便座及び水道金具を改造することなく、かつトイレ室内の形状いかんに関わらず設置できる温水洗浄便座用浄水器を提供する。【解決手段】本体筒１０は、浄水カートリッジ１００を収納する本体部１０ａと本体受けカプラー２０ａ，２０ｂ，２０ｃが着脱可能なように形成されている共通穴１０ｂを有する。交換蓋１１は、入水ホース３０の一端が着脱可能な差込プラグ１１ａを有し、入水ホース３０の他端には、着脱可能な入水側共通アダプター４０を有する。入水側共通アダプター４０は、複数の水道金具の各水道金具に対応するように形成された水道金具アタッチメント５０ａ，５０ｂ，５０ｃが着脱可能なように形成されている。【選択図】図１
0003199740.tif 000002
【実用新案登録請求の範囲】
【請求項１】
水道金具から連結ホースを経て温水洗浄便座へと接続されている経路に装着し、本体筒に装着された交換可能な浄水カートリッジで浄水し、前記水道金具の改造及び前記温水洗浄便座の改造を必要とせず装着できる温水洗浄便座用浄水器であって、
前記本体筒は、
前記浄水カートリッジを収納する本体部と、
前記浄水カートリッジを交換するために、前記本体部から着脱可能なように形成された交換蓋と、
前記浄水カートリッジで浄水される水を取り入れる入水部と、
前記浄水カートリッジで浄水された水を排水する出水部と、
を有することを特徴とする温水洗浄便座用浄水器。
【請求項２】
前記入水部は、
前記交換蓋に設けられ、入水ホースの一端が着脱可能となるように設けられた差込プラグを有し、
前記入水ホースの他端には、着脱可能な入水側共通アダプターを有し、
前記入水側共通アダプターは、複数の前記水道金具の各水道金具に対応するように形成された複数の水道金具アタッチメントが着脱可能となるように形成され、
前記出水部は、
前記本体部に設けられ、形状の異なる複数の前記連結ホースの各プラグに対応するように形成された複数の本体受けカプラーが着脱可能なように形成されている共通穴であることを特徴とする請求項１に記載の温水洗浄便座用浄水器。
【請求項３】
前記入水部は、
前記交換蓋に設けられ、入水ホースの一端が着脱可能となるように設けられた差込プラグを有し、
前記入水ホースの他端には、特定の水道金具に対応するように形成された着脱可能なストレート状、斜め状、又はエルボ状の特定水道金具アタッチメントを有し、
前記特定の水道金具以外の水道金具と前記特定水道金具アタッチメントが接続可能となるような接続アダプターを備え、
前記出水部は、
前記本体部に設けられ、
複数の前記連結ホースの各プラグに対応するように形成された形状の異なる複数の共通プラグ受けカプラーが着脱可能なように形成されている共通プラグであることを特徴とする請求項１に記載の温水洗浄便座用浄水器。
【請求項４】
前記差込プラグは、前記入水ホースを介さず前記入水側共通アダプターが着脱可能となる構成であることを特徴とする請求項２又は請求項３に記載の温水洗浄便座用浄水器。
【請求項５】
前記入水部が前記本体部に設けられ、前記出水部が前記交換蓋に設けられていることを特徴とする請求項２から請求項４のいずれか１項に記載の温水洗浄便座用浄水器。
【請求項６】
前記入水部と前記出水部が、交換蓋に設けられていることを特徴とする請求項２から請求項４のいずれか１項に記載の温水洗浄便座用浄水器。
【請求項７】
前記入水部と前記出水部が、前記本体部に設けられていることを特徴とする請求項２から請求項４のいずれか１項に記載の温水洗浄便座用浄水器。
【請求項８】
前記本体部は、側面部と底部からなり、
前記入水部と前記出水部が、前記側面部の所定の部分に設けられていることを特徴とする請求項７に記載の温水洗浄便座用浄水器。
【請求項９】
前記側面部の所定の部分は、対向する母線の部分であり、又は同一の母線の部分であることを特徴とする請求項８に記載の温水洗浄便座用浄水器。
【請求項１０】
前記入水部と前記出水部が一体的に入出水部として形成されていることを特徴とする請求項６又は請求項７に記載の温水洗浄便座用浄水器。
【請求項１１】
前記交換蓋を上面部とし、
前記上面部と前記本体部が一体的に形成され、前記浄水カートリッジが前記一体的に形成された前記上面部と前記本体部の内部に装着され、パッケージ化されていることを特徴とする請求項１から請求項１０のいずれか１項に記載の温水洗浄便座用浄水器。
【請求項１２】
前記水道金具は、水道分岐金具又は止水栓であり、
前記水道金具が前記止水栓である場合、前記浄水カートリッジは、より大きなものであることを特徴とする請求項１から請求項１１のいずれか１項に記載の温水洗浄便座用浄水器。
【請求項１３】
前記本体筒は、円筒状、多面筒状、又は球体状であり、
前記浄水カートリッジは、前記本体筒の形状に対応した形状であることを特徴とする請求項１から請求項１２のいずれか１項に記載の温水洗浄便座用浄水器。
【請求項１４】
前記入水側共通アダプター、前記特定水道金具アタッチメント、又は前記接続アダプターは、前記本体筒が外れた場合の排水を防止する安全弁を有していることを特徴とする請求項２から請求項１３のいずれか１項に記載の温水洗浄便座用浄水器。
【請求項１５】
前記本体筒は、前記入水ホースを延長することにより据え置き型とし、トイレ室内の形状いかんに関わらずに設置することを特徴とする請求項１から請求項１４のいずれか１項に記載の温水洗浄便座用浄水器。
【請求項１６】
前記本体筒内部の前記浄水カートリッジを交換することにより、活性炭で構成されたフィルター、中空糸膜で構成されたフィルター、若しくはビタミン剤、薬剤などの水質改善剤で構成されたフィルター、又はこれらの構成を組み合わせたフィルターを使用することを特徴とする請求項１から請求項１５のいずれか１項に記載の温水洗浄便座用浄水器。
【請求項１７】
前記本体筒内部の前記浄水カートリッジを交換することにより、前記ビタミン剤、薬剤などの水質改善剤の補充又は追加をすることを特徴とする請求項１６に記載の温水洗浄便座用浄水器。
【請求項１８】
前記本体筒は、
前記本体筒の内部に挿入された前記洗浄カートリッジの汚れ具合と前記水質改善剤の消耗具合を外部から目視できるように一部又は全部が透明に形成されていることを特徴とする請求項１６又は請求項１７に記載の温水洗浄便座用浄水器。
【考案の詳細な説明】
【技術分野】
【０００１】
本考案は、温水洗浄便座用浄水器に関する。
【背景技術】
【０００２】
近年、温水洗浄便座が多用されるようになってきているが、水道水の中には塩素や水が貯水槽から蛇口に至る長い水道管内に滞留する間に、消毒に用いた塩素が原因で、トリハロメタン等の塩素化合物が発生したり、貯水槽や水道管の汚れ、老朽化などが原因で、カビ臭又はカルキ臭が発生し、場合によっては細菌が発生したりするのが実情であるが、これらが含有されている洗浄水で肛門などを洗浄するものであった。
【考案の概要】
【考案が解決しようとする課題】
【０００３】
従来の温水洗浄便座はその構造上、水道水を直接加熱し洗浄に使用するため、この水道水を濾過、浄水するためには温水洗浄便座ごと交換するか、水道水の経路上に浄水器を設置する必要があり、大規模な設備交換工事や水道工事を必要とする課題があった。
【０００４】
そこで本考案は、このような課題を解決するためになされたもので、簡単で、手軽に安全な洗浄水を用いて肛門などの洗浄ができる浄水器を提供することを目的とする。
【課題を解決するための手段】
【０００５】
上記課題を解決するために、本考案に係る温水洗浄便座用浄水器は、水道金具から連結ホースを経て温水洗浄便座へと接続されている経路に装着し、本体筒に装着された交換可能な浄水カートリッジで浄水し、前記水道金具の改造及び前記温水洗浄便座の改造を必要とせず装着できる温水洗浄便座用浄水器であって、前記本体筒は、前記浄水カートリッジを収納する本体部と、前記浄水カートリッジを交換するために、前記本体部から着脱可能なように形成された交換蓋と、前記浄水カートリッジで浄水される水を取り入れる入水部と、前記浄水カートリッジで浄水された水を排水する出水部と、を有することを特徴とする。
【０００６】
本考案に係る温水洗浄便座用浄水器の態様について、前記入水部は、前記交換蓋に設けられ、入水ホースの一端が着脱可能となるように設けられた差込プラグを有し、前記入水ホースの他端には、着脱可能な入水側共通アダプターを有し、前記入水側共通アダプターは、複数の前記水道金具の各水道金具に対応するように形成された複数の水道金具アタッチメントが着脱可能となるように形成され、前記出水部は、前記本体部に設けられ、形状の異なる複数の前記連結ホースの各プラグに対応するように形成された複数の本体受けカプラーが着脱可能なように形成されている共通穴であることが好ましい。
【０００７】
本考案に係る温水洗浄便座用浄水器の態様について、前記入水部は、前記交換蓋に設けられ、入水ホースの一端が着脱可能となるように設けられた差込プラグを有し、前記入水ホースの他端には、特定の水道金具に対応するように形成された着脱可能なストレート状、斜め状、又はエルボ状の特定水道金具アタッチメントを有し、前記特定の水道金具以外の水道金具と前記特定水道金具アタッチメントが接続可能となるような接続アダプターを備え、前記出水部は、前記本体部に設けられ、複数の前記連結ホースの各プラグに対応するように形成された形状の異なる複数の共通プラグ受けカプラーが着脱可能なように形成されている共通プラグであることが好ましい。
【０００８】
本考案に係る温水洗浄便座用浄水器の態様について、前記差込プラグは、前記入水ホースを介さず前記入水側共通アダプターが着脱可能となる構成であることが好ましい。
【０００９】
本考案に係る温水洗浄便座用浄水器の態様について、前記入水部が前記本体部に設けられ、前記出水部が前記交換蓋に設けられていることが好ましい。
【００１０】
本考案に係る温水洗浄便座用浄水器の態様について、前記入水部と前記出水部が、交換蓋に設けられていることが好ましい。
【００１１】
本考案に係る温水洗浄便座用浄水器の態様について、前記入水部と前記出水部が、前記本体部に設けられていることが好ましい。
【００１２】
本考案に係る温水洗浄便座用浄水器の態様について、前記本体部は、側面部と底部からなり、前記入水部と前記出水部が、前記側面部の所定の部分に設けられていることが好ましい。
【００１３】
本考案に係る温水洗浄便座用浄水器の態様について、前記側面部の所定の部分は、対向する母線の部分であり、又は同一の母線の部分であることが好ましい。
【００１４】
本考案に係る温水洗浄便座用浄水器の態様について、前記入水部と前記出水部が一体的に入出水部として形成されていることが好ましい。
【００１５】
本考案に係る温水洗浄便座用浄水器の態様について、前記交換蓋を上面部とし、前記上面部と前記本体部が一体的に形成され、前記浄水カートリッジが前記一体的に形成された前記上面部と前記本体部の内部に装着され、パッケージ化されていることが好ましい。
【００１６】
本考案に係る温水洗浄便座用浄水器の態様について、前記水道金具は、水道分岐金具又は止水栓であり、前記水道金具が前記止水栓である場合、前記浄水カートリッジは、より大きなものであることが好ましい。
【００１７】
本考案に係る温水洗浄便座用浄水器の態様について、前記本体筒は、円筒状、多面筒状、又は球体状であり、前記浄水カートリッジは、前記本体筒の形状に対応した形状であることが好ましい。
【００１８】
本考案に係る温水洗浄便座用浄水器の態様について、前記入水側共通アダプター、前記特定水道金具アタッチメント、又は前記接続アダプターは、前記本体筒が外れた場合の排水を防止する安全弁を有していることが好ましい。
【００１９】
本考案に係る温水洗浄便座用浄水器の態様について、前記本体筒は、前記入水ホースを延長することにより据え置き型とし、トイレ室内の形状いかんに関わらずに設置することが好ましい。
【００２０】
本考案に係る温水洗浄便座用浄水器の態様について、前記本体筒内部の前記浄水カートリッジを交換することにより、活性炭で構成されたフィルター、中空糸膜で構成されたフィルター、若しくはビタミン剤、薬剤などの水質改善剤で構成されたフィルター、又はこれらの構成を組み合わせたフィルターを使用することが好ましい。
【００２１】
本考案に係る温水洗浄便座用浄水器の態様について、前記本体筒内部の前記浄水カートリッジを交換することにより、前記ビタミン剤、薬剤などの水質改善剤の補充又は追加をすることが好ましい。
【００２２】
本考案に係る温水洗浄便座用浄水器の態様について、前記本体筒は、前記本体筒の内部に挿入された前記洗浄カートリッジの汚れ具合と前記水質改善剤の消耗具合を外部から目視できるように一部又は全部が透明に形成されていることが好ましい。
【考案の効果】
【００２３】
本考案の温水洗浄便座用浄水器によれば、既設の水道設備、温水洗浄便座の改造を必要としないので、手軽に設置することができ、また、手軽にもとの状態に戻すことができる。
【００２４】
また、本考案の温水洗浄便座用浄水器によれば、活性炭で構成されたフィルター、中空糸膜で構成されたフィルター、若しくはビタミン剤、薬剤などの水質改善剤で構成されたフィルター、又はこれらの構成を組み合わせたフィルターを用いたカートリッジは交換式なので、ランニングコストを低減することができる。
【００２５】
また、本考案の温水洗浄便座用浄水器によれば、あらゆる水道金具及びあらゆる温水洗浄便座に対応する温水洗浄便座用浄水器を提供することができる。
【００２６】
また、本考案の温水洗浄便座用浄水器によれば、トイレ室内の形状いかんに関わらずに設置できることができ、活性炭で構成されたフィルター、中空糸膜で構成されたフィルター、若しくはビタミン剤、薬剤などの水質改善剤で構成されたフィルター、又はこれらの構成を組み合わせたフィルターを用いて浄水することができ、また、洗浄水にビタミン剤、薬剤などの水質改善剤の補充又は追加をすることができる。
【図面の簡単な説明】
【００２７】
【図１】実施形態の温水洗浄便座用浄水器を示す模式図である。
【図２】他の実施形態の温水洗浄便座用浄水器を示す模式図である。
【図３】他の実施形態の水道金具との接続を示す模式図である。
【考案を実施するための形態】
【００２８】
以下、本考案の温水洗浄便座用浄水器の実施形態を図１から図３を用いて説明する。
【００２９】
図１は本実施形態の温水洗浄便座用浄水器を説明する模式図であり、実施形態の温水洗浄便座用浄水器は、水道金具から連結ホースを経て温水洗浄便座へと接続されている経路に装着し、本体筒１０に装着された交換可能な浄水カートリッジ１００で浄水し、水道金具の改造及び温水洗浄便座の改造を必要とせず装着できるものである。
【００３０】
また、本体筒１０は、浄水カートリッジ１００を収納する本体部１０ａと、浄水カートリッジ１００を交換するために、本体部１０ａから着脱可能なように形成された交換蓋１１を有している。
【００３１】
すなわち、実施形態の温水洗浄便座用浄水器は、浄水カートリッジ１００を収納する本体筒１０、浄水カートリッジ１００を収納する本体部１０ａと、浄水カートリッジ１００を交換するために本体部１０ａの入水側に設けられ着脱可能な交換蓋１１からなる本体筒１０を有している。
【００３２】
また、浄水カートリッジ１００は、交換式の活性炭で構成されたフィルター、中空糸膜で構成されたフィルター、若しくはビタミン剤、薬剤などの水質改善剤で構成されたフィルター、又はこれらの構成を組み合わせたフィルターを用いることができる。
【００３３】
実施形態の温水洗浄便座用浄水器は、本体部１０ａの出水側に設けられ、形状の異なる複数の温水洗浄便座への給水プラグの各プラグに対応するように形成された本体受けカプラーの一例である本体受けカプラー２０ａ，２０ｂ，２０ｃが着脱可能なように形成されている浄水カートリッジ１００で浄水された水を排水する出水部としての共通穴１０ｂを有している。
【００３４】
交換蓋１１は、入水ホース３０の一端が着脱可能となるように設けられた浄水カートリッジ１００で浄水される水を取り入れる入水部としての差込プラグ１１ａを有し、また、入水ホース３０の他端には、着脱可能な入水側共通アダプター４０を有している。
【００３５】
入水側共通アダプター４０は、複数の水道金具の各水道金具に対応するように形成された複数の水道金具アタッチメントの一例である水道金具アタッチメント５０ａ，５０ｂ，５０ｃが着脱可能なように形成されている。
【００３６】
上記のとおり、本体受けカプラー２０ａ，２０ｂ，２０ｃは、複数の本体受けカプラーの一例であり、水道金具アタッチメント５０ａ，５０ｂ，５０ｃは複数の水道金具アタッチメントの一例である。
【００３７】
この例では、Ａ社製、Ｂ社製、及びＣ社製の温水洗浄便座に用いられる温水洗浄便座用浄水器としての構成及び機能を示しているが、これに限定されず、いかなるメーカーの温水洗浄便座との接続も可能である。
【００３８】
次に図２、図３を用いて他の実施形態の温水洗浄便座用浄水器について説明する。
【００３９】
図２に示すように他の実施形態では、共通プラグ１０ｃが、本体部１０ａと一体的に形成されており、つまり共通プラグ１０ｃは、共通穴１０ｂと同一の部分にプラグとして形成され、そして、共通プラグ１０ｃは、複数の連結ホースの各プラグに対応するように形成された形状の異なる複数の共通プラグ受けカプラーの一例である共通プラグ受けカプラー２１ａ，２１ｂ，２１ｃが着脱可能となるように形成されている。
【００４０】
また、図３に示すように他の実施形態では、特定の水道金具、この例ではＡ社製の水道分岐金具に対応するように形成され、入水ホース３０の他端と着脱可能なストレート状の特定水道金具アタッチメント４１ａ、又はエルボ状の特定水道金具アタッチメント４１ｂを有している。
【００４１】
なお、これらの水道金具アタッチメントは、ストレート状やエルボ状に限定されず、斜め状のものであってもよい。
【００４２】
そして、上記の特定の水道金具以外の水道金具と、特定水道金具アタッチメント４１ａ，４１ｂが接続可能となるように接続アダプター５０ａ，５０ｂを備えている。
【００４３】
上記の例では、特定水道金具アタッチメント４１ａ、４１ｂはＡ社用であり、接続アダプター５０ａはＢ社用であり，また、接続アダプター５０ｂはＣ社用であるが、これに限定されずいかなるメーカーの組み合わせであってもよい。
【００４４】
以上が実施形態及び他の実施形態の説明であるが、これらの実施形態において、以下の構成を含む温水洗浄便座用浄水器であってもよい。
【００４５】
差込プラグ１１ａは、入水ホース３０を介さず入水側共通アダプター４０が着脱可能となる構成であり、このような構成にすることで本体筒１０を水道金具に直接に接続することができる。
【００４６】
差込プラグ１１ａが本体部１０ａに設けられており、共通穴１０ｂが交換蓋１１に設けられている構成であり、又は差込プラグ１１ａが本体部１０ａに設けられており、共通プラグ１０ｃが交換蓋１１に設けられている構成である。
【００４７】
差込プラグ１１ａと共通穴１０ｂが交換蓋１１に設けられている構成であり、又は差込プラグ１１ａと共通プラグ１０ｃが交換蓋１１に設けられている構成である。
【００４８】
差込プラグ１１ａと共通穴１０ｂが本体部１０ａに設けられている構成であり、又は差込プラグ１１ａと共通プラグ１０ｃが本体部１０ａに設けられている構成である。
【００４９】
本体部１０ａは、筒の部分である側面部と底辺である底部から構成されており、差込プラグ１１ａと共通穴１０ｂ又は差込プラグ１１ａと共通プラグ１０ｃが、側面部の所定の部分、例えば側面部において対向する母線の部分であり、又は側面部において同一の母線の部分に設けられている構成である。
【００５０】
上記のように入水部と出水部は本体筒１０の任意の領域に設けることができ、例えば本体筒１０の設置条件に応じて最適な構成を選択することができる。
【００５１】
なお、上記の入水部と出水部の配置は一例であり、これに限定されない。
【００５２】
差込プラグ１１ａと共通穴１０ｂ又は差込プラグ１１ａと共通プラグ１０ｃが、例えば一体的に入出水部として形成されている構成であってもよく、このような構成にすることで、脱着を１回で行うことができる簡易なものとすることができる。
【００５３】
なお、上記の一体的に形成された入水出水部に接続されるカプラーなどの構成は、上記の実施形態の構成を基にした同様な機能を有するものにするとよい。
【００５４】
本体筒１０の交換蓋１１を上面部とし、この上面部と本体部１０ａを一体的に形成し、そして、浄水カートリッジ１００が、一体的に形成された上面部と本体部１０ａの内部に装着されるパッケージ化された構成とする。
【００５５】
このような構成にすることで、浄水カードリッジ１００の交換をすることなく、この一体的に形成された本体筒１０を交換するという簡易なものとすることができる。
【００５６】
水道金具は、水道分岐金具でもよく、また、止水栓でもよく、水道金具が、止水栓の場合、浄水カートリッジ１００は、より大きなものであるとよい。
【００５７】
なお、一般的に、水道分岐金具は独立便座型の温水洗浄便座に用いられ、止水栓は便器一体型の温水洗浄便座に用いられており、本実施形態の温水洗浄便座用浄水器では、独立便座型及び便器一体型の温水洗浄便座の両方に対して簡易に対応できる構成となっている。
【００５８】
本体筒１０は、円筒状が通常の形態であるが多面筒状又は球体状であってもよく、この場合、浄水カートリッジ１００は、本体筒１０の形状に対応した形状にし、このように柔軟性のある構成において、設置場所に対応した形状の本体筒１０を用いることができる。
【００５９】
入水側共通アダプター４０、特定水道金具アタッチメント４１ａ、４１ｂ、又は接続アダプター５１ａ、５１ｂは、例えば本体筒１０が外れた場合の水漏れを防止する安全弁を設けてもよく、このような安全弁を用いることで、例えば階下への水漏れなどを防止できる。
【００６０】
なお、安全弁を設ける場所は、この例に限定されず設置条件に応じて対処することができる。
【００６１】
また、本体筒１０は、延長ホースの活用により据え置き型も可能とし、トイレ室内の形状いかんに関わらずに設置でき、本体筒１０内部の浄水カートリッジ１００を交換することにより、活性炭で構成されたフィルター、中空糸膜で構成されたフィルター、若しくはビタミン剤、薬剤などの水質改善剤で構成されたフィルター、又はこれらの構成を組み合わせたフィルターを使用できる。
る。
【００６２】
そして、本体筒１０内部の浄水カートリッジ１００を交換することにより、ビタミン剤、薬剤などの水質改善剤の補充又は追加をすることができる。
【００６３】
また、交換可能な洗浄カートリッジ１００は、交換蓋１１を開口し本体筒１０内部に挿入することができ、この洗浄カートリッジ１００は、例えば、水質改善のため中空糸膜で構成されている。
【００６４】
ホースの長さ、例えば、入水ホース３０の長さは異なる複数の長さのものを用意することができ、これを交換若しくは組み合わせることにより任意の場所に設置が可能である。
【００６５】
洗浄カートリッジ１００は、活性炭や活性炭繊維で構成されたフィルター、中空糸膜で構成されたフィルター、若しくはビタミン剤、薬剤などの水質改善剤で構成されたフィルター、又はこれらの構成を組み合わせたフィルターを用いることができる。
【００６６】
上記の水質改善剤を充填したフィルターは、そのビタミン剤、薬剤を補充又は追加することもできるものである。
【００６７】
本体筒１０は、内部に挿入された洗浄カートリッジ１００の汚れ具合と水質改善剤、例えばビタミン剤、薬剤などの消耗具合を外部から目視できるように一部若しくは全部が透明であることが望ましい。
【００６８】
また、本体筒１０は、抗菌特性を備えたプラスチック材による成形品であり、利用者が工具を使用せずに内部に挿入された洗浄カートリッジ１００の交換ができる構造であり、また、この温水洗浄便座用浄水器は、期待する効用により多段接続することができる。
【００６９】
上記のような特徴を有する本考案の温水洗浄便座用浄水器は、家庭での使用、事務所での使用、ホテルなどでの使用において、より健康的で清潔感のある温水洗浄便座としての機能を有しており社会的な貢献を果たすことができる。
【００７０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００７１】
また、温水洗浄便座用浄水器の大きさや形状、素材の厚さ、重さなどについては多様な実施形態が可能であり、それらについて本実施形態と異なる形態による実施は、本考案の技術的範囲に含まれる。
【符号の説明】
【００７２】
１０  本体筒
１０ａ  本体部
１０ｂ  共通穴
１０ｃ  共通プラグ
１１  交換蓋
１１ａ  差込プラグ
２０ａ，２０ｂ，２０ｃ  本体受けカプラー
２１ａ，２１ｂ，２１ｃ  共通プラグ受けカプラー
３０  入水ホース
４０  入水側共通アダプター
４１ａ，４１ｂ  特定水道金具アタッチメント
５０ａ，５０ｂ，５０ｃ  水道金具アタッチメント
５１ａ，５１ｂ  接続アダプター
１００  浄水カートリッジ
【図１】
0003199740.tif 000003
【図２】
0003199740.tif 000004
【図３】
0003199740.tif 000005
【手続補正書】
【提出日】平成27年7月13日(2015.7.13)
【手続補正１】
【補正対象書類名】実用新案登録請求の範囲
【補正対象項目名】全文
【補正方法】変更
【補正の内容】
【実用新案登録請求の範囲】
【請求項１】
水道金具から連結ホースを経て温水洗浄便座へと接続されている経路に装着し、本体筒に装着された交換可能な浄水カートリッジで浄水し、前記水道金具の改造及び前記温水洗浄便座の改造を必要とせず装着できる温水洗浄便座用浄水器であって、
前記本体筒は、
前記浄水カートリッジを収納する本体部と、
前記浄水カートリッジを交換するために、前記本体部から着脱可能なように形成された交換蓋と、
前記浄水カートリッジで浄水される水を取り入れる入水部と、
前記浄水カートリッジで浄水された水を排水する出水部と、
を有することを特徴とする温水洗浄便座用浄水器。
【請求項２】
前記入水部は、
前記交換蓋に設けられ、入水ホースの一端が着脱可能となるように設けられた差込プラグを有し、
前記入水ホースの他端には、着脱可能な入水側共通アダプターを有し、
前記入水側共通アダプターは、複数の前記水道金具の各水道金具に対応するように形成された複数の水道金具アタッチメントが着脱可能となるように形成され、
前記出水部は、
前記本体部に設けられ、形状の異なる複数の前記連結ホースの各プラグに対応するように形成された複数の本体受けカプラーが着脱可能なように形成されている共通穴であることを特徴とする請求項１に記載の温水洗浄便座用浄水器。
【請求項３】
前記入水部は、
前記交換蓋に設けられ、入水ホースの一端が着脱可能となるように設けられた差込プラグを有し、
前記入水ホースの他端には、特定の水道金具に対応するように形成された着脱可能なストレート状、斜め状、又はエルボ状の特定水道金具アタッチメントを有し、
前記特定の水道金具以外の水道金具と前記特定水道金具アタッチメントが接続可能となるような接続アダプターを備え、
前記出水部は、
前記本体部に設けられ、
複数の前記連結ホースの各プラグに対応するように形成された形状の異なる複数の共通プラグ受けカプラーが着脱可能なように形成されている共通プラグであることを特徴とする請求項１に記載の温水洗浄便座用浄水器。
【請求項４】
前記差込プラグは、前記入水ホースを介さず前記入水側共通アダプターが着脱可能となる構成であることを特徴とする請求項２に記載の温水洗浄便座用浄水器。
【請求項５】
前記入水部が前記本体部に設けられ、前記出水部が前記交換蓋に設けられていることを特徴とする請求項１に記載の温水洗浄便座用浄水器。
【請求項６】
前記入水部と前記出水部が、交換蓋に設けられていることを特徴とする請求項１に記載の温水洗浄便座用浄水器。
【請求項７】
前記入水部と前記出水部が、前記本体部に設けられていることを特徴とする請求項１に記載の温水洗浄便座用浄水器。
【請求項８】
前記本体部は、側面部と底部からなり、
前記入水部と前記出水部が、前記側面部の所定の部分に設けられていることを特徴とする請求項７に記載の温水洗浄便座用浄水器。
【請求項９】
前記側面部の所定の部分に設けられている前記入水部と前記出水部は、前記側面部において前記入水部と前記出水部が対向するように設けられていることを特徴とする請求項８に記載の温水洗浄便座用浄水器。
【請求項１０】
前記入水部と前記出水部が一体的に入出水部として形成されていることを特徴とする請求項６又は請求項７に記載の温水洗浄便座用浄水器。
【請求項１１】
前記交換蓋を上面部とし、
前記上面部と前記本体部が一体的に形成され、前記浄水カートリッジが前記一体的に形成された前記上面部と前記本体部の内部に装着され、パッケージ化されていることを特徴とする請求項１から請求項１０のいずれか１項に記載の温水洗浄便座用浄水器。
【請求項１２】
前記水道金具は、水道分岐金具又は止水栓であり、
前記水道金具が前記止水栓である場合、前記浄水カートリッジは、より大きなものであることを特徴とする請求項１から請求項１１のいずれか１項に記載の温水洗浄便座用浄水器。
【請求項１３】
前記本体筒は、円筒状、多面筒状、又は球体状であり、
前記浄水カートリッジは、前記本体筒の形状に対応した形状であることを特徴とする請求項１から請求項１２のいずれか１項に記載の温水洗浄便座用浄水器。
【請求項１４】
前記入水側共通アダプターは、前記本体筒が外れた場合の排水を防止する安全弁を有していることを特徴とする請求項２に記載の温水洗浄便座用浄水器。
【請求項１５】
前記本体筒は、前記入水ホースを延長することにより据え置き型とし、トイレ室内の形状いかんに関わらずに設置することを特徴とする請求項２又は請求項３に記載の温水洗浄便座用浄水器。
【請求項１６】
前記本体筒内部の前記浄水カートリッジを交換することにより、活性炭で構成されたフィルター、中空糸膜で構成されたフィルター、若しくはビタミン剤、薬剤などの水質改善剤で構成されたフィルター、又はこれらの構成を組み合わせたフィルターを使用することを特徴とする請求項１から請求項１５のいずれか１項に記載の温水洗浄便座用浄水器。
【請求項１７】
前記本体筒内部の前記浄水カートリッジを交換することにより、前記ビタミン剤、薬剤などの水質改善剤の補充又は追加をすることを特徴とする請求項１６に記載の温水洗浄便座用浄水器。
【請求項１８】
前記本体筒は、
前記本体筒の内部に挿入された前記洗浄カートリッジの汚れ具合と前記水質改善剤の消耗具合を外部から目視できるように一部又は全部が透明に形成されていることを特徴とする請求項１６又は請求項１７に記載の温水洗浄便座用浄水器。